(57)【要約】【課題】フィルタを内蔵した濾液管装置では、フィルタの取付構造が必要であると共に、管が細い場合には目詰まりを起こし易い課題があり、また、従来の検体採取容器では、フィルタを採取棒を有する便採取側キャップとは反対側に設けているために、容器の形状に自由度がなく、フィルタが濾過中に目詰まりを起し易い課題があった。【解決手段】濾液管部３１内に、濾過隙間３２を介して中栓部材３３を嵌着し、中栓部材３３を境に濾過隙間３２に濾液を通して濾過することからなる濾液管装置３０を提供すると共に、フィルタ代用に上記濾液管装置３０を有する濾液管付検体採取容器を提供するものである。【選択図】　　　　　　　図１
2004125546.tif 000002
【特許請求の範囲】
【請求項１】
濾液管部に中栓部材を嵌着し、濾液管部の内壁と中栓部材の外壁との間に濾過隙間を設け、該濾過隙間を介して濾液を濾過することからなる濾液管装置。
【請求項２】
請求項１に記載の濾液管装置において、濾過隙間が中栓部材の外周に設けた濾過溝からなる濾液管装置。
【請求項３】
請求項１又は２に記載の濾液管装置において、濾過隙間が濾過管の内周に設けた濾過溝からなる濾液管装置。
【請求項４】
検体を懸濁する検体懸濁液を収容する容器本体に、検体を採取する採取棒を有するキャップを装着し、前記採取棒に付着した余分な検体を容器本体の首部に設けた掻き取り弁部材により掻き取るようになした検体採取容器において、前記容器首部を濾液管部、前記掻き取り弁部材を中栓部材として容器首部と掻き取り弁部材との間に濾過隙間を設け、該濾過隙間を通って濾過された検体懸濁濾液を溜める液溜部をキャップ頭部に設け、該キャップ頭部から前記液溜部の検体懸濁濾液を採液可能にした濾液管付検体採取容器。
【請求項５】
請求項４に記載の濾液管付検体採取容器において、キャップ頭部の天板部に前記液溜部に接して採液用薄肉部を設けた濾液管付検体採取容器。
【請求項６】
請求項４又は５に記載の濾液管付検体採取容器において、採取棒の頭部に前記キャップ頭部内に嵌合して液溜部を形成する液溜頭部を設けてなる濾液管付検体採取容器。
【請求項７】
請求項４乃至６のいずれかに記載の濾液管付検体採取容器において、液溜頭部と採取棒部との間に液連通部を設け、該液連通部と前記濾過隙間の間を連通するように前記掻き取り弁部材と液連通部に連通孔を設けた濾液管付検体採取容器。
【請求項８】
請求項４乃至７のいずれかに記載の濾液管付検体採取容器において、前記濾過隙間を形成する濾過溝を前記容器首部側又は前記掻き取り弁部材側に設けた濾液管付検体採取容器。
【請求項９】
請求項４乃至８のいずれかに記載の濾液管付検体採取容器において、前記濾過隙間が複数の凹凸溝からなる濾液管付検体採取容器。
【請求項１０】
請求項４乃至９のいずれかに記載の濾液管付検体採取容器において、前記掻き取り弁部材を、中空凹状の中栓部材の底部に前記採取棒を挿通する挿通孔を設けて構成してなる濾液管付検体採取容器。
【発明の詳細な説明】
【０００１】
【発明の属する技術分野】
本発明は、濾液管装置と、採取した検体を回収、運搬、検査するために保存し、例えば、便内潜血検出等に使用するようにした濾液管付検体採取容器に関する。
【０００２】
【従来の技術】
従来、懸濁液等を濾過するフィルタとしては、スポンジ、合成樹脂製濾材等の多孔性物質や、グラスウール、濾紙、脱脂綿等の繊維性物質が使用されており、濾液管内にフィルタを内蔵した濾液管装置が使用されている。
従来より、検体採取容器は色々と提案されている。検体採取容器の分野の中でも最も検討されている採便容器を一例としてあげるならば、円筒状等の容器本体に糞便を懸濁させる便懸濁液を収容した便懸濁液室を設け、その一端部側から採取棒を有する便採取側キャップを密封状態で装着し、採取棒の先端に付着した糞便を懸濁し、その他端部側にフィルタを内部に備えた滴下部を有する液滴下キャップを装着し、フィルタにより濾過された便懸濁濾液を該キャップに開けた孔から滴下するようにしたものが報告されている（例えば、特許文献１乃至４参照）。
また、滴下部を有する液滴下キャップを装着する代わりにフィルタの先に液溜部を設けておき、フィルタにより濾過され液溜部に収容された便懸濁液を分析装置のノズルを挿入して直接吸引できるようにしたものも報告されている（例えば、特許文献５参照）。
【０００３】
【特許文献１】特開平６−１８６２２７号（図１）
【特許文献２】特開平８−７５７２５号（図１、図４）
【特許文献３】特開平８−２９２１８９号（図１）
【特許文献４】特開平９−２９２３９２号（図１）
【特許文献５】特開２０００−２５８３０８号（図３）
【０００４】
【発明が解決しようとする課題】
然るに、フィルタを内蔵した濾液管装置では、フィルタの取付構造が必要であると共に、管が細い場合には目詰まりを起こし易い課題があった。
また、従来の検体採取容器では、フィルタを備えた滴下部を、採取棒を有する検体採取側キャップとは別に容器本体の反対側に設けているために、検体採取容器の構造が大型で複雑になり、郵送等に適さないと共に、内部に備えているフィルタの外径が小さい場合には、濾過孔が小さく且つ少なくなり、濾過中に目詰まりを起し易い課題があった。
【０００５】
【課題を解決するための手段】
そこで、本発明は、上記課題を解決するために、請求項１に記載のように、濾液管部に中栓部材を嵌着し、濾液管部の内壁と中栓部材の外壁との間に濾過隙間を設け、該濾過隙間を介して濾液を濾過することからなる濾液管装置を提供するものである。
本発明によれば、濾液管内に中栓部材を嵌着するだけの簡単な構造で、中栓部材の周囲に形成される濾過隙間により、フィルタなしで懸濁液を濾過することができると共に、濾液管が細くても中栓部材の周囲の濾過隙間で濾過するから、目詰まりを起こし難く、また、たとえ目詰まりしても容易に洗浄することができる。
【０００６】
また、本発明は、請求項２に記載のように、請求項１に記載の濾液管装置において、濾過隙間が中栓部材の外周に設けた濾過溝からなる濾液管装置を提供するものである。
本発明によれば、中栓部材を断面多角形状にしたり、断面楕円状にしたり、外周に直線状又は螺旋状の突条を設けたり、外周に細かいスプライン軸状又はＶ字状等の凹凸溝を設けたりすることによって、中栓部材の外周に設けた濾過溝からなる濾過隙間を設けることができるから、種々の形状の濾過隙間を中栓部材の外周において容易に加工することができる。
【０００７】
また、本発明は、請求項３に記載のように、請求項１又は２に記載の濾液管装置において、濾過隙間が濾過管部の内周に設けた濾過溝からなる濾液管装置を提供するものである。
本発明によれば、濾過管部の内壁を断面多角形状にしたり、断面楕円状にしたり、直線状又は螺旋状の突条を設けたり、細かいＶ字状の凹凸溝を設けたりすることによって、濾過管部の内周に濾過溝からなる濾過隙間を設けることができる。
【０００８】
また、本発明は、請求項４に記載のように、検体を懸濁する検体懸濁液を収容する容器本体に、検体を採取する採取棒を有するキャップを装着し、前記採取棒に付着した余分な検体を容器本体の首部に設けた掻き取り弁部材により掻き取るようになした検体採取容器において、前記容器首部を濾液管部、前記掻き取り弁部材を中栓部材として容器首部と掻き取り弁部材との間に濾過隙間を設け、該濾過隙間を通って濾過された検体懸濁濾液を溜める液溜部をキャップ頭部に設け、該キャップ頭部から前記液溜部の検体懸濁濾液を採液可能にした濾液管付検体採取容器を提供するものである。
【０００９】
本発明によれば、液溜部をキャップ頭部に設けたから、検体懸濁濾液をキャップ頭部から採液することができ、容器本体を郵送に適した小型扁平形状等の任意の形状にすることができ、また、容器本体を圧迫することによって、検体懸濁液をキャップ頭部の液溜部に送り込む途中の容器首部の濾液管部と掻き取り弁部材の中栓部材とにより形成された濾過隙間により検体懸濁液を濾過することができ、濾過用フィルタを不要にすることができるのみならず、容器首部を細く形成しても目詰まりせずに濾過することができる。
【００１０】
また、本発明は、請求項４に記載の濾液管付検体採取容器において、キャップ頭部の天板部に前記液溜部に接して採液用薄肉部を設けた濾液管付検体採取容器を提供するものである。
本発明によれば、キャップ頭部の天板部に設けた採液用薄肉部から採液用ノズルを容易に刺し入れることができ、キャップ頭部の上方から検体懸濁濾液を採液することができる。
【００１１】
また、本発明は、請求項４又は５に記載の濾液管付検体採取容器において、採取棒の頭部に前記キャップ頭部内に嵌合して液溜部を形成する液溜頭部を設けてなる濾液管付検体採取容器を提供するものである。
本発明によれば、採取棒の頭部に設けた液溜頭部をキャップ頭部に嵌合して、キャップ頭部に液溜部を形成することができる。
【００１２】
また、本発明は、請求項４乃至６のいずれかに記載の濾液管付検体採取容器において、液溜頭部と採取棒部との間に液連通部を設け、該液連通部と前記濾過隙間の間を連通するように前記掻き取り弁部材と液連通部に連通孔を設けた濾液管付検体採取容器を提供するものである。
本発明によれば、液連通部と濾過隙間の間を連通する連通孔によって濾過隙間により濾過された検体懸濁濾液を液連通部に導くことができ、該液連通部を介して検体懸濁濾液を液溜部に溜めることができる。
【００１３】
また、本発明は、請求項４乃至７のいずれかに記載の濾液管付検体採取容器において、前記濾過隙間の濾過溝を前記容器首部側又は前記掻き取り弁部材側に設けた濾液管付検体採取容器を提供するものである。
本発明によれば、容器首部側又は掻き取り弁部材側に濾過隙間を設けて検体懸濁液を濾過することができる。
【００１４】
また、本発明は、請求項４乃至８のいずれかに記載の濾液管付検体採取容器において、前記濾過隙間が複数の連続する凹凸溝からなる濾液管付検体採取容器を提供するものである。
本発明によれば、連続する凹凸溝の数、深さ又は巾を適宜に設けることにより、濾過隙間を簡単に成形でき、適宜に検体懸濁液を濾過することができる。
【００１５】
また、本発明は、請求項４乃至９のいずれかに記載の濾液管付検体採取容器において、前記掻き取り弁部材を、中空凹状の中栓部材の底部に前記採取棒を挿通する挿通孔を設けて構成してなる濾液管付検体採取容器を提供するものである。
本発明によれば、中空凹状の中栓部材からなる掻き取り弁部材を容器首部に嵌入することにより掻き取り弁部材と容器首部の間に濾過隙間を設けることができると共に、挿通孔に採取棒を挿通することにより採取棒に付着した余分な検体を掻き取ることができる。
【００１６】
【発明の実施の形態】
本発明の実施の形態を図示する実施例に基づいて説明する。
図１又は図２に記載の実施例において、本発明に係る濾液管装置の装置本体３０は、濾液管部３１に、外周に濾過溝３２を設けた中栓部材３３を嵌着し、中栓部材３３を境に濾過溝３２を介して一方から他方に濾液を通して濾過するように構成してあり、第３図又は第４図に記載の実施例では、装置本体３０は、内周に濾過溝３２を設けた濾液管部３１に、中栓部材３３を嵌着し、中栓部材３３を境に濾過溝３２を介して一方から他方に濾液を通して濾過するように構成してある。
【００１７】
実施例の場合、濾液管部３１、中栓部材３３はそれぞれ合成樹脂の一体成型品からなり、濾過溝３２は、いずれに設ける場合でも、一体成形時に、適宜な大きさと形状の凹凸溝として同時に成形することができ、溝の断面形状及び断面積を成形時に調整することによって、フィルタとしての粗さを設定できる。
実施例の場合、濾過溝３２は、原則として、濾過方向に沿って直線的にほぼ平行に連続的に設けてあり、濾液管部３１の内径が小さい場合でも、その内周に沿って多数の凹凸溝からなる濾過溝３２を設けることができる。
【００１８】
そして、濾液管部３１内に中栓部材３３を嵌着するだけの簡単な構造で、中栓部材３３の周囲に形成される濾過溝３２により、フィルタなしで懸濁液を濾過することができると共に、前述のように、濾液管部３１の内径が細くても中栓部材３３の周囲の濾過溝３２で濾過するから、目詰まりを起こし難く、また、たとえ目詰まりしても容易に洗浄することができる。なお、濾液管部３１内から中栓部材３３を取り外して洗浄する場合には、完全に目詰まりを除去でき、その後再度嵌着すれば、即座に再使用することができる。
【００１９】
なお、本発明によれば、中栓部材３３を断面多角形状にしたり、断面楕円状にしたり、外周に直線状又は螺旋状の突条を設けたり、外周に細かいスプライン軸状又はＶ字状等の凹凸溝を設けたりすることによって、中栓部材３３の外周に濾過溝３２からなる濾過隙間を設けることができるから、種々の形状の濾過隙間を中栓部材３３の外周において容易に加工することができる。
また、本発明によれば、濾過管部３１の内壁を断面多角形状にしたり、断面楕円状にしたり、直線状又は螺旋状の突条を設けたり、細かいＶ字状の凹凸溝を設けたりすることによって、濾過管部３１の内周に濾過溝３２からなる濾過隙間を設けることができる。
【００２０】
次いで、図５乃至図８に示す実施例において、本発明に係る濾液管付検体採取容器は、検体を懸濁する検体懸濁液を収容する容器本体１に、検体を採取する採取棒３を有するキャップ４を装着し、前記採取棒３に付着した余分な検体を容器本体１の首部に設けた掻き取り弁部材２により掻き取るようになした検体採取容器において、互いに接する中栓部材に相当する前記掻き取り弁部材２の外周面と濾液管に相当する容器首部５の内周面との間にフィルタ代用濾過隙間６を設けると共に、該濾過隙間６を通って濾過された検体懸濁濾液を溜める液溜部７をキャップ頭部８内に設け、該キャップ頭部８から前記液溜部７の検体懸濁濾液を採液可能に構成してある。
【００２１】
容器本体１は、ポリエチレン、ポリ塩化ビニル、ポリプロピレン等の柔軟性を有するプラスチックの一体成形品からなり、容器胴部９を押圧することにより、容器本体１に収容した検体懸濁液を液溜部７方向に押し出すことができるように構成してある。
また、容器首部５の外周には、容器本体ねじ部２４を設け、キャップ４をねじ込み装着することにより、キャップ４が容器首部５に密着して、収容した検体懸濁液が容器の輸送中に漏れないようにしてある。
【００２２】
掻き取り弁部材２は、合成樹脂等の一体成形品からなり、中空凹状の中栓部材の底部２６に採取棒３を挿通する挿通孔１７を設けてあり、検体を採取した採取棒３を該挿通孔１７に挿通することにより、採取棒３の周囲に付着した余分な検体を掻き取ることができるように構成してある。
図示の実施例において、掻き取り弁部材２の外周面には、Ｕ字又はＶ字状等の濾過溝１８が歯車歯状又は花弁状に連続する濾過隙間６が形成してある。掻き取り弁部材２は、容器首部５内に一体に嵌着され、濾過溝１８と容器首部５の内周面によりフィルタ代用の濾過隙間６を構成するようにしてある。
【００２３】
従って、掻き取り弁部材２の全周にわたって濾過隙間６を設けることができると共に、濾過溝１８の形状、巾又は深さを調整することにより、濾過隙間６の粗さを調整することができる。これにより、濾過隙間６は、検体懸濁液中の検査の障害となる繊維質等の未消化固形分を通さないから、検体懸濁液を確実に濾過することができる。
また、濾過溝１８の上端部に位置して掻き取り弁部材２に連通孔１５を設けてあり、後述する採取棒３に設けた連通孔１４とによって液溜部７と濾過隙間６の間を連通して、濾過隙間６により濾過された検体懸濁濾液を液溜部７に溜めることができるように構成してある。
【００２４】
さらに、濾過溝１８の上端部には環状に連通溝部１６を設けてあり、夫々の濾過溝１８により濾過された検体懸濁濾液を、連通溝部１６を介して連通孔１５に導くことができるようにしてある。
従って、容器本体１の容器胴部９を押圧して検体懸濁液を押し出すと、検体懸濁液は濾過隙間６を通って濾過され、濾過された検体懸濁濾液は、連通溝部１６から連通孔１４，１５を介して液連通部１３に流れ出て、液溜部７に溜めることができる。
なお、濾過隙間６は、図示の実施例のように濾過溝１８により構成される場合に限らず、掻き取り弁部材２の外周に複数の微小突起を設けて、繊維質等の未消化固形分を通さない程度の隙間を形成し検体懸濁液を濾過することができるように構成することもできる。
【００２５】
また、濾過隙間６は、合成樹脂の射出成形により微小の濾過溝１８を形成することができることから、外型により掻き取り弁部材２側に設けることもできるが、中子により容器首部５側に設けることも勿論可能である。
採取棒３は、先端部に凹溝状の検体採取部１０を有する採取棒部１１と、頭部に設けた液溜頭部１２と、採取棒部１１と液溜頭部１２の間に設けた液連通部１３とから構成してある。
【００２６】
図示の実施例において、液溜頭部１２は、上部を開口した中空状に設けてあり、図５又は図６に示すように、キャップ頭部８に嵌合して液溜部７を形成するように構成してある。また、液溜頭部１２は、キャップ頭部８に設けた嵌合突起部２１により嵌合状態を強固に維持するように構成してある。なお、嵌合突起部２１は、図６に記載のように、容器開口部とキャップ頭部８との間に挟着する掻き取り弁部材２の係合フランジ部２７の外周にも圧接し、内容液の漏出を防止している。
【００２７】
液連通部１３には、図６に示すように、該液連通部１３と濾過隙間６の間を連通するように連通孔１４を設けてあり、濾過隙間６により濾過された検体懸濁濾液を連通孔１４，１５により液連通部１３に導き、液連通部１３を介して液溜部７に溜めるようにしてある。
連通孔１４は、キャップ４を容器首部５にねじ込み装着完了したときに、掻き取り弁部材２に設けた連通孔１５と重なって液連通部１３と濾過隙間６の間を連通するように設けてある。
【００２８】
また、液連通部１３は、掻き取り弁部材２の内側に密着して嵌入するように設けてあり、検体懸濁濾液が連通孔１４，１５を通って液溜部７に溜まる際に、液連通部１３と掻き取り弁部材２の間から漏れないように構成してある。
図示の実施例において、検体採取部１０は、採取棒部１１の先端部に設けた環状の凹溝部からなり、掻き取り弁部材２により余分な検体を掻き取って、凹溝部の容量分だけの検体を容器本体１内の検体懸濁液の中に入れることができるように構成してある。
【００２９】
従って、検体採取部１０は、容器本体１内に収容された所定容量の検体懸濁液に対して、適切な量の検体を採取することができるようにしてある。
また、採取棒３は、図５又は図６に示すキャップ４の装着完了時に、液溜頭部１２、液連通部１３、採取棒部１１がそれぞれ掻き取り弁部材２に密着し、挿通孔１７を液密に閉栓することができるように設けてあり、容器本体１内の検体懸濁液を押し出して濾過隙間６で濾過する際に、挿通孔１７から上方に流れ出さないように構成してある。
【００３０】
また、図６において破線で示すように、液連通部１３内にフィルタ部２８を設けて、従来のフィルタ又は本発明のフィルタ代用濾液管装置により、二重に濾過した検体懸濁液を液溜部７に導入することも可能である。
図示の実施例において、キャップ４は、合成樹脂等の一体成形品からなり、採取棒３の液溜頭部１２の嵌合を保つようにキャップ頭部８に嵌合突起部２１を設けてあると共に、キャップスカート部２２にキャップねじ部２３を設けて容器首部５にねじ込み装着するように構成してある。
【００３１】
また、キャップ頭部８の天板部１９には、液溜部７に接して採液用の薄肉部２０を設けてあり、該薄肉部２０に採液用ノズルを刺し入れて吸引することにより、検体懸濁濾液を採液することができるようにしてある。
なお、薄肉部２０は、図示の実施例のように、キャップ４と一体的に形成する場合に限らず、天板部１９に採液用の孔部を設け、該孔部に合成樹脂製のシールフィルムやアルミシールを貼り付けて形成することも可能である。
【００３２】
上記のように、濾液管装置からなるフィルタ代用の濾過隙間６を掻き取り弁部材２と容器首部５の間に設け、キャップ４に液溜部７を設けたことにより、従来のように容器本体に設けていた濾過フィルタが不要となり、容器本体の構造を簡素化することができると共に、形状を自由に選択することができ、封筒による郵送に適した形状にすることもできる。
従って、図８に示すように、容器本体１は、容器胴部９の横断面形状が扁平状をなし、封筒等に入れて郵送による輸送が容易なように構成することも適宜可能である。また、少なくとも一部に平坦なラベル貼付部２５を有し、検査情報等を記入するラベルを貼り付けるようにしてある。これにより、ラベルへの記入が容易になると共に、容器本体１の転がりを防止することができる。
【００３３】
【発明の効果】
以上の通り、本発明に係る濾液管装置によれば、請求項１に記載のように、濾液管部に中栓部材を嵌着し、濾液管部の内壁と中栓部材の外壁との間に濾過隙間を設け、該濾過隙間を介して濾液を濾過することからなる構成を有することにより、濾液管内に中栓部材を嵌着するだけの簡単な構造で、中栓部材の周囲に形成される濾過隙間により、フィルタなしで懸濁液を濾過することができると共に、濾液管が細くても中栓部材の周囲の濾過隙間で濾過するから、目詰まりを起こし難く、また、たとえ目詰まりしても容易に洗浄することができる効果がある。
【００３４】
また、本発明は、請求項２に記載のように、請求項１に記載の濾液管装置において、濾過隙間が中栓部材の外周に設けた濾過溝からなる構成を有することにより、中栓部材を断面多角形状にしたり、断面楕円状にしたり、外周に直線状又は螺旋状の突条を設けたり、外周に細かいスプライン軸状又はＶ字状等の凹凸溝を設けたりすることによって、中栓部材の外周に設けた濾過溝からなる濾過隙間を設けることができるから、種々の形状の濾過隙間を中栓部材の外周において容易に加工することができる効果がある。
【００３５】
また、本発明は、請求項３に記載のように、請求項１又は２に記載の濾液管装置において、濾過隙間が濾過管部の内周に設けた濾過溝からなる構成を有することにより、濾過管部の内壁を断面多角形状にしたり、断面楕円状にしたり、直線状又は螺旋状の突条を設けたり、細かいＶ字状の凹凸溝を設けたりすることによって、濾過管部の内周に濾過溝からなる濾過隙間を設けることができる効果がある。
【００３６】
また、本発明に係る濾液管付検体採取容器によれば、請求項４に記載のように、検体を懸濁する検体懸濁液を収容する容器本体に、検体を採取する採取棒を有するキャップを装着し、前記採取棒に付着した余分な検体を容器本体の首部に設けた掻き取り弁部材により掻き取るようになした検体採取容器において、前記容器首部を濾液管部、前記掻き取り弁部材を中栓部材として容器首部と掻き取り弁部材との間に濾過隙間を設け、該濾過隙間を通って濾過された検体懸濁濾液を溜める液溜部をキャップ頭部に設け、該キャップ頭部から前記液溜部の検体懸濁濾液を採液可能にした構成を有することにより、液溜部をキャップ頭部に設けたから、検体懸濁濾液をキャップ頭部から採液することができ、容器本体を郵送に適した小型扁平形状等の任意の形状にすることができ、また、検体懸濁液をキャップ頭部の液溜部に送り込む途中の容器首部の濾液管部と掻き取り弁部材の中栓部材とにより形成された濾過溝からなるフィルタ代用濾過隙間により検体懸濁液を濾過することができ、濾過用フィルタを不要にすることができるのみならず、容器首部を細く形成しても目詰まりせずに濾過することができる効果がある。
【００３７】
また、本発明は、請求項４に記載の濾液管付検体採取容器において、キャップ頭部の天板部に前記液溜部に接して採液用薄肉部を設けた構成を有することにより、キャップ頭部の天板部に設けた採液用薄肉部から採液用ノズルを容易に刺し入れることができ、キャップ頭部の上方から検体懸濁濾液を採液することができる効果がある。
【００３８】
また、本発明は、請求項４又は５に記載の濾液管付検体採取容器において、採取棒の頭部に前記キャップ頭部に嵌合して液溜部を形成する液溜頭部を設けてなる構成を有することにより、採取棒の頭部に設けた液溜頭部をキャップ頭部に嵌合して、キャップ頭部に液溜部を形成することができる効果がある。
【００３９】
また、本発明は、請求項４乃至６のいずれかに記載の濾液管付検体採取容器において、液溜頭部と採取棒部との間に液連通部を設け、該液連通部と前記濾過隙間の間を連通するように前記掻き取り弁部材と液連通部に連通孔を設けた構成を有することにより、液連通部と濾過隙間の間を連通する連通孔によって濾過隙間により濾過された検体懸濁濾液を液連通部に導くことができ、該液連通部を介して検体懸濁濾液を液溜部に溜めることができる効果がある。
【００４０】
また、本発明は、請求項４乃至７のいずれかに記載の濾液管付検体採取容器において、前記濾過隙間を前記容器首部側又は前記掻き取り弁部材側に設けた構成を有することにより、容器首部側又は掻き取り弁部材側に濾過隙間を設けて検体懸濁液を濾過することができる効果がある。
【００４１】
また、本発明は、請求項４乃至８のいずれかに記載の濾液管付検体採取容器において、前記濾過隙間が複数の濾過溝からなる構成を有することにより、濾過溝の深さ又は巾を適正な寸法に設けることにより、検体懸濁液を濾過することができるように濾過隙間を設けることができる効果がある。
【００４２】
また、本発明は、請求項４乃至９のいずれかに記載の濾液管付検体採取容器において、前記掻き取り弁部材を、凹状の中栓状部材の底部に前記採取棒を挿通する挿通孔を設けた構成を有することにより、凹状の中栓状部材からなる掻き取り弁部材を容器首部に嵌入することにより掻き取り弁部材と容器首部の間に濾過隙間を設けることができると共に、挿通孔に採取棒を挿通することにより採取棒に付着した余分な検体を掻き取ることができる効果がある。
【図面の簡単な説明】
【図１】本発明濾液管装置の一実施例を示す縦断正面図。
【図２】その要部の縦断側面図。
【図３】他の実施例の縦断正面図。
【図４】その要部の縦断側面図。
【図５】本発明濾液管付検体採取容器の一実施例を示す一部縦断正面図。
【図６】その一実施例の要部を拡大して示す一部縦断正面図。
【図７】その一実施例の分解状態を示す分解縦断正面図。
【図８】その一実施例を示す右側面図。
【符号の説明】
１　容器本体
２　掻き取り弁部材
３　採取棒
４　キャップ
５　容器首部
６　濾過隙間
７　液溜部
８　キャップ頭部
９　容器胴部
１０　検体採取部
１１　採取棒部
１２　液溜頭部
１３　液連通部
１４　連通孔
１５　連通孔
１６　連通溝部
１７　挿通孔
１８　濾過溝
１９　天板部
２０　薄肉部
２１　嵌合突起部
２２　キャップスカート部
２３　キャップねじ部
２４　容器ねじ部
２５　ラベル貼付部
２６　底部
２７　係合フランジ部２７
２８　フィルタ部
３０　濾液管装置本体
３１　濾液管部
３２　濾過溝
３３　中栓部材
【図１】
2004125546.tif 000003
【図２】
2004125546.tif 000004
【図３】
2004125546.tif 000005
【図４】
2004125546.tif 000006
【図５】
2004125546.tif 000007
【図６】
2004125546.tif 000008
【図７】
2004125546.tif 000009
【図８】
2004125546.tif 000010